(57)【特許請求の範囲】
【請求項１】
情報記憶媒体が付加された記録紙を使用し、該記録紙に記録された原稿画像を読み取って該原稿画像を他の記録紙に複写する複写装置であって、
原稿画像が形成された記録紙の原稿画像を他の記録紙に複写する際、前記記録紙に付加された情報記憶媒体から情報を読み取る情報読み取り手段と、
該情報読み取り手段が読み取った情報に基づいて、前記原稿画像の複写許可を判別する複写許可判別手段と、
該複写許可判別手段が複写を許可したときに、原稿画像を複写する記録紙に付加された情報記憶媒体に対して、所定の条件下で複写を制限する複写制限情報を書き込む複写制限情報書き込み手段とを有し、
該複写制限情報書き込み手段は、複写した原稿画像を更に複写するときの記録紙の種類を制限する複写制限情報を、原稿画像を複写する記録紙に付加された情報記憶媒体に書き込み、
前記記録紙の種類を制限する複写制限情報は、情報記憶媒体が付加された記録紙、裏面に他の情報が既に印刷されている裏紙、再生紙、または所定の厚み以下の薄紙のいずれかまたは複数のときにのみ複写を許可する情報であることを特徴とする複写装置。
【請求項２】
請求項１に記載の複写装置において、前記複写制限情報書き込み手段は、複写した原稿画像を更に複写することを許可しない複写制限情報を、原稿画像を複写する記録紙に付加された情報記憶媒体に書き込むことを特徴とする複写装置。
【請求項３】
請求項１に記載の複写装置において、前記複写制限情報書き込み手段は、複写した原稿画像を更に複写するときの複写可能な枚数を制限する複写制限情報を、原稿画像を複写する記録紙に付加された情報記憶媒体に書き込むことを特徴とする複写装置。
【請求項４】
請求項１に記載の複写装置において、前記複写制限情報書き込み手段は、原稿画像を複写した複写物からさらに他の複写物を作成する処理を１階層とするとき、原稿画像の複写を許可する階層数を制限する複写制限情報を、原稿画像を複写する記録紙に付加された情報記憶媒体に書き込むことを特徴とする複写装置。
【請求項５】
請求項１に記載の複写装置において、前記複写制限情報書き込み手段は、複写した原稿画像を更に複写するときの複写装置の運転モードを制限する複写制限情報を、原稿画像を複写する記録紙に付加された情報記憶媒体に書き込むことを特徴とする複写装置。
【請求項６】
請求項５に記載の複写装置において、前記複写装置の運転モードを制限する情報は、テスト印刷モード及びトナー節約モードを含む特殊モードのときにのみ複写を許可する情報であることを特徴とする複写装置。
【請求項７】
請求項１に記載の複写装置において、前記複写制限情報書き込み手段は、複写した原稿画像を更に複写するときに、原稿画像に個人情報が含まれるときに複写を許可しない複写制限情報を、原稿画像を複写する記録紙に付加された情報記憶媒体に書き込むことを特徴とする複写装置。
【請求項８】
請求項１に記載の複写装置において、前記複写制限情報書き込み手段は、前記情報読み取り手段が読み取った情報に基づいて、複写した原稿画像を更に複写するときに、該複写を許可する期間、または該複写を許可する時刻を制限する複写制限情報を、原稿画像を複写する記録紙に付加された情報記憶媒体に書き込むことを特徴とする複写装置。
【請求項９】
請求項１に記載の複写装置において、前記複写許可判別手段は、前記情報読み取り手段が読み取った情報に、複写した原稿画像を更に複写することを許可しない複写制限情報が含まれている場合、該複写制限情報に従って複写した原稿画像の新たな複写を許可しないことを特徴とする複写装置。
【請求項１０】
請求項１に記載の複写装置において、前記複写許可判別手段は、前記情報読み取り手段が読み取った情報に、原稿画像を複写する枚数を制限する複写制限情報が含まれている場合、該複写制限情報に従って複写を許可する枚数を制限することを特徴とする複写装置。
【請求項１１】
請求項１に記載の複写装置において、該複写装置は、原稿画像を複写する用紙を給紙する給紙トレイと、該給紙トレイに収容されている記録紙の種類を判別する記録紙判別手段とを有し、前記複写許可判別手段は、前記情報読み取り手段が読み取った情報に、原稿画像を複写するときの記録紙の種類を制限する複写制限情報が含まれている場合、前記記録紙判別手段の判別結果に従って、該複写制限情報で制限された記録紙には複写を許可しないことを特徴とする複写装置。
【請求項１２】
請求項１に記載の複写装置において、前記複写許可判別手段は、前記情報読み取り手段が読み取った情報に、複写装置の運転モードを制限する複写制限情報が含まれている場合、該複写制限情報に従って、許可されていない運転モード時には原稿画像の新たな複写を許可しないことを特徴とする複写装置。
【請求項１３】
請求項１に記載の複写装置において、原稿画像に個人情報が含まれているかどうかを判別する個人情報判別手段を有し、前記複写許可判別手段は、前記情報読み取り手段が読み取った情報に、原稿画像に個人情報が含まれるときに複写を許可しない複写制限情報が含まれている場合、該複写制限情報に従って、前記個人情報判別手段により原稿画像に個人情報が含まれていると判断されたときには、原稿画像の新たな複写を許可しないことを特徴とする複写装置。
【請求項１４】
請求項１に記載の複写装置において、前記複写許可判別手段は、前記情報読み取り手段が読み取った情報に、複写を許可する期間、該複写を許可する時刻を制限する複写制限情報が含まれている場合、該複写制限情報に従って原稿画像の新たな複写を許可することを特徴とする複写装置。
【請求項１５】
請求項１ないし１４のいずれか１に記載の複写装置において、前記情報記憶媒体はＩＣタグであり、前記複写装置は、ＩＣタグに対する情報の書き込み／読み取りを可能とするインタフェースを備えることを特徴とする複写装置。
【発明の詳細な説明】
【技術分野】
【０００１】
本発明は、複写装置、より詳細には、原稿に付加されているＩＣタグ等の情報記憶媒体から情報を読み取る機能を備えた複写装置に関する。
【背景技術】
【０００２】
従来、原稿から読み取った画像データを記録紙に複写する複写装置において、例えば機密性の高い原稿の複写を制限するために、原稿複写禁止情報を原稿に付加しておくことが行われている。例えば、特許文献１には、原稿に予め特定の原稿複写禁止情報を付加しておき、その複写を行うことができないようにしたものが開示されている。これは、原稿複写禁止情報検知手段が原稿複写禁止情報読取手段からの信号により原稿複写禁止情報を検知して、この検知が給紙より前、給紙以後で顕像の転写より前、顕像の転写以後のいずれでなされたかを判断し、それぞれのタイミングに応じて原稿の複写を禁止するようにしたものである。
【特許文献１】特開平４−２１８６５号公報
【発明の開示】
【発明が解決しようとする課題】
【０００３】
例えば、上記特許文献１に記載されているような原稿複写禁止情報付きの機密原稿の複製物を複数枚作成し、特定の配布先に機密原稿を配布した場合、各複製物には上記の原稿複写禁止情報が付加されているために、配布先ではそれ以上の機密原稿の複製物を作成することができない。
【０００４】
しかしながら、例えば上記原稿複写禁止情報付きの機密原稿やその複製物から、さらに新たな複製物を作成する必要がある場合、原稿複写禁止情報が付加されていない状態の機密原稿から必要枚数の複製を作成するか、あるいはパーソナルコンピュータ等に保存されている機密原稿の電子データを印刷出力して必要枚数の複製を作成するなどの処理を行う必要がある。すなわち上記のような原稿複写禁止情報を原稿に付与する方式は、機密原稿の複製を禁止するという目的からどうしても取り扱いが不便になるという課題があった。
【０００５】
本発明は、上述のごとき実情に鑑みてなされたものであり、記録紙に付加されている情報記憶媒体（ＩＣタグなど）の情報を読み取る機能を備え、原稿画像形成された記録紙の情報記憶媒体から読み取った複写制限情報に従って複写の可否を判断するとともに、新たな複写制限情報を、原稿画像を複写する新たな記録紙の情報記憶媒体に記録することにより、複写物の機密性を簡易かつ信頼性をもって管理することができるようにした複写装置を提供することを目的とするものである。
【課題を解決するための手段】
【０００６】
上記課題を解決するために、本発明の第１の技術手段は、情報記憶媒体が付加された記録紙を使用し、記録紙に記録された原稿画像を読み取って原稿画像を他の記録紙に複写する複写装置であって、原稿画像が形成された記録紙の原稿画像を他の記録紙に複写する際、記録紙に付加された情報記憶媒体から情報を読み取る情報読み取り手段と、情報読み取り手段が読み取った情報に基づいて、原稿画像の複写許可を判別する複写許可判別手段と、複写許可判別手段が複写を許可したときに、原稿画像を複写する記録紙に付加された情報記憶媒体に対して、所定の条件下で複写を制限する複写制限情報を書き込む複写制限情報書き込み手段とを有し、複写制限情報書き込み手段は、複写した原稿画像を更に複写するときの記録紙の種類を制限する複写制限情報を、原稿画像を複写する記録紙に付加された情報記憶媒体に書き込み、記録紙の種類を制限する複写制限情報は、情報記憶媒体が付加された記録紙、裏面に他の情報が既に印刷されている裏紙、再生紙、または所定の厚み以下の薄紙のいずれかまたは複数のときにのみ複写を許可する情報であることを特徴としたものである。
【０００７】
第２の技術手段は、第１の技術手段において、複写制限情報書き込み手段が、複写した原稿画像を更に複写することを許可しない複写制限情報を、原稿画像を複写する記録紙に付加された情報記憶媒体に書き込むことを特徴としたものである。
【０００８】
第３の技術手段は、第１の技術手段において、複写制限情報書き込み手段が、複写した原稿画像を更に複写するときの複写可能な枚数を制限する複写制限情報を、原稿画像を複写する記録紙に付加された情報記憶媒体に書き込むことを特徴としたものである。
【０００９】
第４の技術手段は、第１の技術手段において、複写制限情報書き込み手段が、原稿画像を複写した複写物からさらに他の複写物を作成する処理を１階層とするとき、原稿画像の複写を許可する階層数を制限する複写制限情報を、原稿画像を複写する記録紙に付加された情報記憶媒体に書き込むことを特徴としたものである。
【００１２】
第５の技術手段は、第１の技術手段において、複写制限情報書き込み手段が、複写した原稿画像を更に複写するときの複写装置の運転モードを制限する複写制限情報を、原稿画像を複写する記録紙に付加された情報記憶媒体に書き込むことを特徴としたものである。
【００１３】
第６の技術手段は、第５の技術手段において、複写装置の運転モードを制限する情報が、テスト印刷モード及びトナー節約モードを含む特殊モードのときにのみ複写を許可する情報であることを特徴としたものである。
【００１４】
第７の技術手段は、第１の技術手段において、複写制限情報書き込み手段が、複写した原稿画像を更に複写するときに、原稿画像に個人情報が含まれるときに複写を許可しない複写制限情報を、原稿画像を複写する記録紙に付加された情報記憶媒体に書き込むことを特徴としたものである。
【００１５】
第８の技術手段は、第１の技術手段において、複写制限情報書き込み手段が、情報読み取り手段が読み取った情報に基づいて、複写した原稿画像を更に複写するときに、複写を許可する期間、または複写を許可する時刻を制限する複写制限情報を、原稿画像を複写する記録紙に付加された情報記憶媒体に書き込むことを特徴としたものである。
【００１６】
第９の技術手段は、第１の技術手段において、複写許可判別手段が、情報読み取り手段が読み取った情報に、複写した原稿画像を更に複写することを許可しない複写制限情報が含まれている場合、複写制限情報に従って複写した原稿画像の新たな複写を許可しないことを特徴としたものである。
【００１７】
第１０の技術手段は、第１の技術手段において、複写許可判別手段が、情報読み取り手段が読み取った情報に、原稿画像を複写する枚数を制限する複写制限情報が含まれている場合、複写制限情報に従って複写を許可する枚数を制限することを特徴としたものである。
【００１８】
第１１の技術手段は、第１の技術手段において、複写装置が、原稿画像を複写する用紙を給紙する給紙トレイと、給紙トレイに収容されている記録紙の種類を判別する記録紙判別手段とを有し、複写許可判別手段は、情報読み取り手段が読み取った情報に、原稿画像を複写するときの記録紙の種類を制限する複写制限情報が含まれている場合、記録紙判別手段の判別結果に従って、複写制限情報で制限された記録紙には複写を許可しないことを特徴としたものである。
【００１９】
第１２の技術手段は、第１の技術手段において、複写許可判別手段が、情報読み取り手段が読み取った情報に、複写装置の運転モードを制限する複写制限情報が含まれている場合、複写制限情報に従って、許可されていない運転モード時には原稿画像の新たな複写を許可しないことを特徴としたものである。
【００２０】
第１３の技術手段は、第１の技術手段において、原稿画像に個人情報が含まれているかどうかを判別する個人情報判別手段を有し、複写許可判別手段は、情報読み取り手段が読み取った情報に、原稿画像に個人情報が含まれるときに複写を許可しない複写制限情報が含まれている場合、複写制限情報に従って、個人情報判別手段により原稿画像に個人情報が含まれていると判断されたときには、原稿画像の新たな複写を許可しないことを特徴としたものである。
【００２１】
第１４の技術手段は、第１の技術手段において、複写許可判別手段が、情報読み取り手段が読み取った情報に、複写を許可する期間、複写を許可する時刻を制限する複写制限情報が含まれている場合、複写制限情報に従って原稿画像の新たな複写を許可することを特徴としたものである。
【００２２】
第１５の技術手段は、第１ないし第１４のいずれか１の技術手段において、情報記憶媒体はＩＣタグであり、複写装置は、ＩＣタグに対する情報の書き込み／読み取りを可能とするインタフェースを備えることを特徴としたものである。
【発明の効果】
【００２３】
本発明によれば、記録紙に付加されている情報記憶媒体（ＩＣタグなど）の情報を読み取る機能を備え、原稿画像形成された記録紙の情報記憶媒体から読み取った情報（複写可能枚数などの複写制限情報）に従って複写の可否を判断するとともに、新たな複写制限情報を、原稿画像を複写する新たな記録紙の情報記憶媒体に記録することにより、複写物の機密性を簡易かつ信頼性をもって管理することができるようにした複写装置を提供することができる。
【発明を実施するための最良の形態】
【００２４】
図１は、本発明の一実施形態に係る複写装置の概略構成例を示すブロック図で、図中、１は複写装置、２０は電話回線網、３０はＬＡＮ等で構成されたネットワーク、２１は電話回線網２０に接続されたファクシミリ装置、３１，３２はネットワーク３０に接続された端末装置、３３はインターネット、３４はインターネットに接続されたファクシミリ装置、３５はインターネットに接続された端末装置を示す。複写装置１は、ファクシミリ装置２１，３４との間でＦＡＸによる画像データの送受信を可能とし、端末装置３１，３２，３５との間で電子メール等を利用した画像データの送受信を可能とする。ここで、本発明の画像データは、画像データに限らず、文書データ、あるいは画像及び文書からなるデータを含むものとする。
【００２５】
尚、本実施形態の複写装置１としては、スキャナ機能、コピー機能、ファクシミリ機能、及びプリンタ機能のいずれか複数の機能を備えたデジタル複合機を適用した場合を代表例とし、以下、デジタル複合機１として説明する。
【００２６】
図１において、デジタル複合機１は、原稿を読み取って画像データを入力する画像読み取り部（ＩＣＵ：イメージコントロールユニット）２と、デジタル複合機１が備える各機能を制御する機器制御部３と、ユーザ入力を受け付ける操作部（ＯＣＵ：オペレーションコントロールユニット）４と、ＬＡＮ等のネットワーク３０を介して端末装置３１，３２と通信し、インターネット３３を介してファクシミリ装置３４，端末装置３５と通信する通信部５と、画像データの印刷処理を行うデータ処理手段である画像形成部（ＰＣＵ：プロセスコントロールユニット）６と、画像データを記憶するためのハードディスク（ＨＤ）７と、デジタル複合機１の制御情報や設定情報などを記憶するメモリである管理部８と、ＨＤ７内の画像データを消去する消去手段９と、電話回線網２０を介してファクシミリ装置２１と通信するためのＦＡＸモデム１０と、を備えている。
【００２７】
また、デジタル複合機１は、デジタル複合機１に対して着脱可能に装着される第１給紙トレイ１１と、第２給紙トレイ１２と、排紙トレイ１３とを備えている。後述の図２に示すように、第１給紙トレイ１１には、情報記憶媒体であるＩＣタグが付加されていない普通紙（以下、普通紙）がセットされ、第２給紙トレイ１２には、ＩＣタグが付加された用紙（以下、ＩＣタグ付き記録紙）がセットされている。
【００２８】
以下、図１に示すデジタル複合機１の各部について詳細に説明する。まず、画像読み取り部（ＩＣＵ）２は、原稿を読み取って画像データを入力する入力手段であり、例えば、画像読み取り手段としてのＣＣＤ（Ｃｈａｒｇｅ Ｃｏｕｐｌｅｄ Ｄｅｖｉｃｅ：電荷結合素子）２ａと、原稿台や自動原稿送り装置（ＡＤＦ）などにセットされた原稿を検知する原稿検知センサ２ｂと、原稿に付加されたＩＣタグを検知してその情報を読み取るＩＣタグインタフェース（ＩＣタグＩ／Ｆ）２ｃとを備えている。ＩＣタグインタフェース２ｃは、本発明の情報読み取り手段に該当する。
【００２９】
原稿に付加されているＩＣタグは、ＲＦ（Ｒａｄｉｏ  Ｆｒｅｑｕｅｎｃｙ）回路，制御回路，メモリを備えたＲＦＩＤの素子から構成され、各種データ等を格納可能な小型の記憶媒体である。このＩＣタグは通常電源を備えていないため、ＩＣタグＩ／Ｆ２ｃから送られてくる電波を受信して、電磁誘導などの方法で電力を発生させる。ＲＦ回路及びメモリは、各々制御回路に接続される。ＲＦ回路は、ＩＣタグＩ／Ｆ２ｃからの電波を受信するためのアナログ回路であり、制御回路はＲＦ回路を介して変調処理及び復調処理するなどのデータ処理を行うデジタル回路である。メモリには、原稿の複写を制限するための複写制限情報が記憶されている。
【００３０】
また、ＩＣタグＩ／Ｆ２ｃは、原稿に付加されたＩＣタグとの間で無線を介して通信を行うことができる。ＩＣタグＩ／Ｆ２ｃは、送信信号に対する所定の変調処理を行う変調回路、変調された変調電波をＩＣタグに送信する送信制御部、ＲＦ反応に応じてＩＣタグから返信される複写制限情報を受信する受信制御部、受信した変調電波に対する所定の復調処理を行う復調回路、及びＩＣタグとの通信を送信制御部及び受信制御部を介して行うためのアンテナとから構成されている。このようにして読み取られた複写制限情報に基づいて、原稿画像の複写の可否が判断される。
【００３１】
原稿画像の複写の可否の判断は、本発明の複写許可判別手段が実行する。この複写許可判別手段は、デジタル複合機１の各ユニットや要素を制御する機器制御部３によって、もしくは他の図示しない所定の制御手段によって実現される。
【００３２】
ＩＣタグ書込手段１４は、例えば第２給紙トレイ１２から給紙されるＩＣタグ付き記録紙に原稿画像を複写する際に、複写物に保持させるべき複写制限情報をそのＩＣタグに書き込む。ＩＣタグ書込手段１４は、複写制限情報を記録紙のＩＣタグに書き込む本発明の複写制限情報書き込み手段に該当する。
【００３３】
操作部（ＯＣＵ）４は、各種入力キーなどを備えた入力部４ａと、ＬＣＤ（Ｌｉｑｕｉｄ  Ｃｒｙｓｔａｌ  Ｄｉｓｐｌａｙ：液晶ディスプレイ）などの表示部４ｂとを備えており、デジタル複合機１に対して操作の入力や、各種設定の入力を行う。
また、上記の入力部４ａには、デジタル複合機１を利用する利用者の認証情報を入力する認証情報入力手段を配置するようにしてもよい。利用者の認証情報の入力方法としては、例えば、利用者コードの直接入力、ＩＤカードの情報読み取り入力、利用者の生体情報（指紋などの）読み取り入力など様々である。これらのいずれかの方法により、デジタル複合機１の利用者認証を行うことができるようにする。
【００３４】
画像形成部（ＰＣＵ）６は、画像データを処理（出力）するデータ処理（出力）手段であり、ページメモリであるメモリ６ａと、ＬＳＵ（Ｌａｓｅｒ  Ｓｃａｎｎｉｎｇ  Ｕｎｉｔ：レーザ走査ユニット）などの印字部６ｂと、第１給紙トレイ１１と、第２給紙トレイ１２と、排紙トレイ１３と、ＩＣタグＩ／Ｆ２ｃにより読み取った複写管理情報をＩＣタグ付き記録紙４２のＩＣタグに書き込むＩＣタグ書込手段１４とを備えている。
上記の画像形成部６は、メモリ６ａに一旦記憶された画像データをＨＤ７に記憶し、また、ＨＤ７に記憶した画像データを復号してメモリ６ａに送り、印字部６ｂに転送して印字出力する。
【００３５】
ＨＤ７は、入力された画像データを一時記憶するための記憶手段である。このＨＤ７は、磁気記憶媒体を備えた記憶手段として構成することで、大量の画像データを蓄積して順次処理していくことが可能となり、複数のユーザからの指示を効率良く処理することができる。
【００３６】
課金装置Ｉ／Ｆ１５は、デジタル複合機１での複写処理に対して課金するための課金装置（図３に示す）と接続するインタフェースである。機器制御部３は、例えば、コピー１枚あたり１０円などとしてコピー枚数に応じて課金するように課金装置を制御する。課金装置としては、例えば、コイン式やカード（プリペイドカードなど）式のものを用いることができる。なお課金装置は、本デジタル複合機１の必須の要素ではなく、各種有償サービス用途等の目的で適宜接続される。
【００３７】
以下、デジタル複合機１によるコピー（複写）機能、プリンタ機能、スキャナ機能、及びファクシミリ機能の動作について説明する。
（コピー機能）
本実施形態に係るデジタル複合機１を複写機として利用する場合には、画像読み取り部２で読み取られた原稿の画像データが、画像形成部６から複写物として出力される。
【００３８】
画像読み取り部２には、ＣＣＤ２ａが備えられており、読み取り位置にセットされた原稿の画像を電子的に読み取ることができる。そして、読み取られた原稿の画像データは、メモリ６ａ上に出力データとして完成され、一旦ＨＤ７へ記憶される。原稿が複数ある場合は、この読み取り、記憶の動作が繰り返される。その後、操作部４から指示された処理モードに基づいて、ＨＤ７に記憶された画像データが適切なタイミングで順次読み出されてメモリ６ａに送られる。そして、印字部６ｂへの書き込みタイミングに合わせて画像データがメモリ６ａから印字部６ｂへと転送される。
【００３９】
また、読み取った画像データを複数枚印字する場合も、同様に出力データとしてページ単位でＨＤ７へ記憶され、出力するモードに合わせてＨＤ７からメモリ６ａに送られ、出力枚数の分だけ繰り返し、印字部６ｂへの書き込みタイミングに合わせて印字部６ｂへ転送される。
【００４０】
（プリンタ機能）
次に、本実施形態に係るデジタル複合機１をプリンタとして利用する場合には、通信部５から受信した画像データがメモリ６ａなどを介して画像形成部６から出力される。
通信部５は、有線あるいは無線を利用してネットワーク３０と接続されており、ネットワーク３０上に接続された外部機器である端末装置３１，３２から画像データを受信する。受信された画像データは、出力画像データとしてページ単位にメモリ６ａに送られ、一旦ＨＤ７へ記憶される。そして、画像データは、再びＨＤ７からメモリ６ａに送られ、前述した複写機として利用する場合と同様にして印字部６ｂへと転送される。
【００４１】
（スキャナ機能）
本実施形態に係るデジタル複合機１をネットワークスキャナとして利用する場合には、画像読み取り部２において読み取られた原稿の画像データを、通信部５からネットワーク３０を介して任意の端末装置３１，３２へ送信することができる。ここでも、画像読み取り部２に備えられたＣＣＤ２ａにより原稿を電子的に読み取る。そして、読み取られた原稿の画像データは、メモリ６ａ上に出力データとして完成され、一旦ＨＤ７へ記憶される。そして、再びＨＤ７からメモリ６ａに送られ、操作部４を介して指示された送信先との通信を確立させた上で通信部５から目的の送信先へと送信される。
【００４２】
（ファクシミリ機能）
通信部５は、ネットワーク３０，インターネット３３を介してファクシミリ装置３４と接続されている。またＦＡＸモデム１０は、電話回線網２０を介してファクシミリ装置２１と接続するようにしてもよい。本実施形態に係るデジタル複合機１をファクシミリ装置として利用する場合にも同様の動作が行われ、外部機器との間で画像データの送信及び受信が可能となる。
【００４３】
本実施形態に係るデジタル複合機１の各構成部は、機器制御部３により制御され、操作部４に設けられたタブレット，キー群などの入力部４ａからの操作指示を監視すると共に、表示部４ｂを介してデジタル複合機１の状態に関する情報などのユーザに通知すべき情報を的確に案内表示する。また、管理部８には、機器制御部３により制御されている各構成部に関する情報が管理されており、これら情報をもとに、機器制御部３がデジタル複合機１全体の動作を制御する。
【００４４】
次に本発明に関わる複写制限情報について説明する。複写制限情報は、原稿画像が記録された記録紙に付加されている情報記憶媒体（本例ではＩＣタグ）に記憶させる。そして原稿画像を複写しようとする場合、そのＩＣタグに記憶された複写制限情報がデジタル複合機１のＩＣタグＩ／Ｆ２ｃによって読み取られ、複写制限情報の内容が解析され、その内容に従って原稿画像の複写の可否が判断される。
【００４５】
またＩＣタグから読み出された複写制限情報の内容に従って、原稿画像を複写するときに、その複写する記録紙に付加されたＩＣタグに対して新たな複写制限情報を書き込んで保持させておく。これにより、原稿画像が複写された場合にも、その記録紙に付加されているＩＣタグに複写制限情報が記録されているため、例えば機密情報等の原稿画像の無制限な複写を防止し、機密性を確保することができる。
【００４６】
まず以下に、原稿画像を複写する際に、原稿画像が形成された記録紙に付加されたＩＣタグから複写制限情報を読み込んで、その複写の可否を判断する処理例について説明する。
上記複写制限情報としては、例えば、原稿画像を複写することを許可しない情報、複写可能な枚数を制限する情報、原稿画像の複写物を更に複写することを許可しない情報、記録紙の種類を制限する情報、複写装置の運転モードを制限する情報、原稿画像に個人情報が含まれるときに複写を許可しない情報、複写を許可する期間を制限する情報、もしくは複写を許可する時刻を制限する複写情報等が設定可能である。
【００４７】
例えば複写制限情報に、上記の原稿画像を複写することを許可しない情報が含まれている場合は、デジタル複合機１は、複写する記録紙の種類に関わらず、一切の複写を許可しない。
【００４８】
また、複写制限情報に、上記の複写可能な枚数を制限する情報が含まれる場合、その枚数の制限情報に従って所定枚数まで原稿の複写を許可する。複写可能な枚数を制限する場合、原稿画像が形成された記録紙のＩＣタグには、複写可能回数を示す情報が記録される。そしてＩＣタグＩ／Ｆ２ｃは、上記ＩＣタグから複写制限情報を読み出して、複写可能回数情報から複写が可能であれば複写を許可する。このときに、ＩＣタグＩ／Ｆ２ｃでは、原稿画像の複写が実行されるごとに、ＩＣタグに記録されている複写可能な回数情報を更新して書き換えるようにする。これにより複写制限情報の複写可能回数を複写実行処理に応じて減らしていくようにすることができる。
【００４９】
上記のような複写枚数を制限するときに、複写する記録紙の種類をさらに制限しない場合には、例えば普通紙に複写した１枚の原稿画像を用いて、さらに新たな複写画像を無制限に作成することができてしまう。従って、複写枚数を制限する場合には、記録紙の種類をＩＣタグ付き記録紙に限定し、複写物に対しても必ず複写制限情報を保持させることが合理的である。
【００５０】
また複写制限情報に、原稿画像の複写物を更に複写すること（いわゆる孫コピー）を許可しない情報が含まれる場合、その原稿画像の複写は許可されるが、その複写物を更に複写することは禁じられる。この場合も、原稿画像を複写する記録紙をＩＣタグ付き記録紙に限定し、この記録紙のＩＣタグに対して次の複写を禁止する複写制限情報を書き込むようにする。
【００５１】
このような複写物をさらに複写するときの制限情報は、上記のような孫コピーの例のみならず、例えば、原稿画像を元にして何階層まで（何代目まで）複写を許可するかどうかを原稿画像の段階で制限しておくこともできる。またこのときに、どの階層で（何代目で）何枚の複写を許可するかを制限するようにしてもよい。この場合も同様に、原稿画像を複写する記録紙をＩＣタグ付き記録紙に限定し、その記録紙に対して次の何階層までの複写を許可するかどうかの情報を記録する。最終階層の記録紙では、以後の階層の複写を禁止する複写制限情報が記録される。
上記のような複写制限情報の書き込み処理例は後述して説明する。
【００５２】
複写制限情報に、上記の複写する記録紙の種類を制限する情報が含まれている場合、その制限情報に従って所定の種類の用紙のみに対して原稿画像の複写を許可する。
複写制限情報で複写を許可する記録紙の種類としては、まず上記のようなＩＣタグ付き記録紙が設定可能である。ＩＣタグ付き記録紙であれば、そのＩＣタグに新たな複写制限情報を書き込むことができるため、原稿画像の無制限な複写を防止することができ、特定の範囲で機密性を確保することができる。
【００５３】
原稿画像を複写する記録紙がＩＣタグ付き記録紙であるかどうかは、第２給紙トレイが選択されているかどうかにより判別する。このときに、さらに複写管理を徹底する目的で、各給紙トレイ１１，１２に対して、画像読み取り部のＩＣタグＩ／Ｆ２ｃと同様の機能をもつ機構を付与し、選択されている給紙トレイに収容されている記録紙が、ＩＣタグ付き記録紙であるかどうかを判別するようにしてもよい。
【００５４】
またこの他、複写を許可する記録紙の種類として、裏面に他の情報が既に印刷されている裏紙や、再生紙、あるいは所定の厚み以下の薄紙を設定することもできる。裏紙や再生紙、薄紙は、通常フォーマルな書類や重要書類の記録用として使用しないため、これらについては原稿画像の複写を許可するように設定することができる。
【００５５】
これらの場合も、給紙トレイに収容する記録紙の種類を予めデジタル複合機１に設定しておく。そして原稿画像が形成された記録紙から読み取った複写制限情報にこれらの記録紙の種類が許可されている場合、デジタル複合機１は、選択されている給紙トレイに設定されている記録紙の種類から、原稿画像の複写の許可を判断する。
またこのような場合にも、裏紙や再生紙であるかどうかを判別するセンサや、記録紙の厚さを検出するセンサ類を設けて、給紙トレイに収容されている記録紙が裏紙や再生紙、あるいは薄紙であることを確認するようにしてもよい。
【００５６】
さらに複写制限情報に、複写装置の運転モードを制限する情報が含まれている場合、デジタル複合機１は、複写制限情報で制限されていない運転モードで動作しているときにのみ、原稿画像の複写を許可する。
例えば、原稿画像の複写を許可する運転モードとして、テスト印刷モードやトナー節約モードなどの特殊モードを設定することができる。テスト印刷モード、あるいはトナー節約モードは予めデジタル複合機１の特殊画像形成モードとして設定されているもので、これらのモードのときは機密書類の複写に適さないため、原稿画像の複写を許可するように設定することができる。
【００５７】
さらに複写制限情報に、原稿画像に個人情報が含まれるときに複写を許可しない情報が含まれている場合、デジタル複合機１は、原稿画像に個人情報が含まれているかどうかを判別して、原稿画像に個人情報が含まれていれば、その原稿画像の複写を許可しないようにする。
この場合、例えばＣＣＤ２ａで読み取った画像データに対して、パターン認識等の公知の手法を適用して解析し、個人情報として推定される情報が画像データに含まれているかどうかを判別する。個人情報は、例えば、郵便番号や電話番号、あるいはメールアドレスのような特定のフォームの情報として検出することができる。
【００５８】
さらに複写制限情報に、複写を許可する期間を制限する情報や、複写を許可する時刻を制限する複写情報等が含まれている場合、それらの制限情報に従って原稿画像の複写の許可が判断される。複写を許可する期間としては、例えば原稿画像作成から３ヶ月間は複写を許可しないような設定が可能である。また同様に複写を許可する時刻情報としては、一日の特定の時間帯を設定したり、特定の曜日の特定の時刻を設定したり、また特定の日付の特定の時刻を設定したりすることができる。デジタル複合機１におけるこれら期間の判別や時刻の判別は、デジタル複合機１が備えるカレンダー機能を利用して実行することができる。
【００５９】
次にＩＣタグから読み出された複写制限情報の内容に従って、原稿画像を複写するときに、その複写する記録紙に付加されたＩＣタグに対して新たな複写制限情報を書き込んで保持させておく処理例について説明する。
【００６０】
上記のように原稿画像を複写しようとするとき、上記のような原稿画像の記録紙に付加されたＩＣタグから読み出された複写制限情報に従って複写の可否が判断される。そしてこのとき原稿画像の複写が許可されると、原稿画像を複写する記録紙に付加されたＩＣタグに対して、新たな複写制限情報を書き込むようにする。
【００６１】
上記のように、複写制限情報に従って複写を許可する場合、記録紙の種類を制限することができる。そして普通紙に対する原稿画像の複写を許可すると、その原稿画像が複写された普通紙を用いることにより、さらに無制限に原稿画像を複写することができてしまう。従って、機密性を重視する原稿のような場合、原稿画像を複写する記録紙をＩＣタグが付加された記録紙に制限し、そのＩＣタグに新たな複写制限情報を保持させておくようすることが好適である。
【００６２】
原稿画像を複写する記録紙のＩＣタグに保持させる複写制限情報は、その原稿画像のＩＣタグから読み取った複写制限情報をそのまま用いてもよく、またその原稿画像の複写制限情報に基づいて新たな複写制限情報を生成するようにしてもよい。また原稿画像を複写する際に、操作部４に対するユーザ入力操作に従って新たな複写制限情報を生成し、原稿画像を複写する記録紙のＩＣタグに書き込むようにしてもよい。生成された複写制限情報は、ＩＣタグ書込手段１４により、記録紙に付加されているＩＣタグに書き込まれる。
【００６３】
これらの複写制限情報の内容は、原稿画像の複写制限情報に従って必然的に決定される場合もあり、またユーザ等が自由に設定できる場合もある。なおユーザ操作により複写制限情報を生成する場合は、ユーザの権限を認証するための公知の認証技術を適用して機密性を保持することが好ましい。
【００６４】
例えば、複写制限情報として、複写した原稿画像を更に複写することを許可しない情報を生成し、原稿画像を複写する記録紙に付加されたＩＣタグに書き込むことができる。これにより、複写物をさらに複写することができなくなり、機密性が保たれる。
この場合、例えば上述のように、原稿画像のＩＣタグに記憶された複写制限情報に、原稿画像の複写物を更に複写すること（いわゆる孫コピー）を許可しない情報が含まれている場合、デジタル複合機１は、これ以上の複写を禁止する複写制限情報を生成し、複写物のＩＣタグに書き込むようにする。これにより、原稿画像に設定された複写制限情報が複写物に対して確実に反映されて保持される。
【００６５】
このような複写物をさらに複写するときの複写制限情報は、上記のような孫コピーの例のみならず、例えば、原稿画像を元にして何階層まで（何代目まで）複写を許可するかどうかを原稿画像の段階で制限しておくこともできる。このときに、デジタル複合機は複写元の原稿画像の複写制限情報に従って、新たな複写制限情報を生成して複写物のＩＣタグに記憶させる処理を繰り返す。
【００６６】
また複写制限情報として、複写した原稿画像を更に複写するときの複写可能な枚数を制限する情報を生成し、原稿画像を複写する記録紙に付加されたＩＣタグに書き込むようにすることができる。
また上記のように複数階層の下位まで複写を制限する場合、どの階層で（何代目で）何枚の複写を許可するかを制限する情報を複写制限情報として生成し、原稿画像を複写する記録紙に付加されたＩＣタグに書き込むようにすることができる。
【００６７】
また複写制限情報として、複写した原稿画像を更に複写するときの記録紙の種類を制限する情報を生成し、原稿画像を複写する記録紙に付加されたＩＣタグに書き込むようにすることができる。上述のように、複写制限情報により、ＩＣタグが付加された記録紙に対して複写を許可するように設定することができる。ここではこの他、裏面に他の情報が既に印刷されている裏紙や、再生紙、あるいは所定の厚み以下の薄紙を、複写を許可する記録紙として設定することができる。
【００６８】
さらに複写制限情報として、複写した原稿画像を更に複写するときの複写装置の運転モードを制限する情報を生成し、原稿画像を複写する記録紙に付加されたＩＣタグに書き込むことができる。この複写制限情報により、所定の運転モードで動作しているときにのみ原稿画像の複写が許可される。
ここでは原稿画像の複写を許可する運転モードとして、テスト印刷モードやトナー節約モードなどの特殊モードを設定することができる。
【００６９】
さらに複写制限情報として、原稿画像に個人情報が含まれるときに複写を許可しない情報を生成し、原稿画像を複写する記録紙に付加されたＩＣタグに書き込むようにすることができる。個人情報は、例えば、郵便番号や電話番号、あるいはメールアドレスのような特定のフォームの情報として検出することができる。本例の複写制限情報は、このような個人情報を検出して、その検出結果に応じて複写の可否を判断することを指示する情報である。
【００７０】
さらに複写制限情報として、複写を許可する期間や、複写を許可する時刻を制限する情報を生成し、原稿画像を複写する記録紙に付加されたＩＣタグに書き込むようにすることができる。複写を許可する期間としては、例えば原稿画像作成から３ヶ月間は複写を許可しないような設定が可能である。また同様に複写を許可する時刻情報としては、一日の特定の時間帯を設定したり、特定の曜日の特定の時刻を設定したり、また特定の日付の特定の時刻を設定したりすることができる。複写機におけるこれら期間の判別や時刻の判別は、複写機が備えるカレンダー機能を利用して実行することができる。
【００７１】
図２は、原稿に付加されたＩＣタグの複写制限情報を読み取って複写を実行するときの処理例を説明するための図である。なお、本例では図１に示したデジタル複合機１の構成に基づいて説明する。
デジタル複合機１の第１給紙トレイ１１には、ＩＣタグが付加されていない普通紙４４がセットされ、第２給紙トレイ１２には、ＩＣタグが付加されたＩＣタグ付き記録紙４２がセットされているものとする。
【００７２】
画像読み取り部２のＩＣタグＩ／Ｆ２ｃは、所定の読取位置にセットされた原稿に対して電波を送信し、この送信電波に応答して、原稿からの返信電波を受信した場合、セットされた原稿がＩＣタグ付き原稿（ＩＣタグが付加された記録紙に記録された原稿）４１であるものと判定する。一方、返信電波を受信しない場合、セットされた原稿がＩＣタグ無し原稿４３であると判定する。
【００７３】
所定の読取位置にセットされた原稿がＩＣタグ付き原稿４１であると判定した場合、ＣＣＤ２ａによってＩＣタグ付き原稿４１の画像を読み取り、さらにＩＣタグＩ／Ｆ２ｃによってＩＣタグ付き原稿４１のＩＣタグ４１ａに記憶されている複写制限情報を読み取る。ＩＣタグＩ／Ｆ２ｃは、ＩＣタグ４１ａで読み取られた複写制限情報を機器制御部３に転送し、機器制御部３にて複写制限情報に基づく複写の可否を判別する。
【００７４】
ＩＣタグ付き原稿４１が所定の読取位置にセットされ、原稿画像と複写管理情報が読み取られると、普通紙４４がセットされた第１給紙トレイ１１、またはＩＣタグ付き記録紙４２がセットされた第２給紙トレイ１２のいずれかが選択される。
ここでＩＣタグ付き原稿４１に含まれる複写制限情報に記録紙の種類が制限されているときは、その制限に従って給紙トレイが選択される。
【００７５】
ＩＣタグ付き原稿４１に形成されている原稿画像が機密性を有しているときなどの場合、普通紙４４に対する複写を許可してしまうと、その普通紙４４の複写画像から無制限に複写が行われてしまうため、このような場合には、ＩＣタグ付き原稿４１の複写制限情報として、ＩＣタグ付き記録紙４２のみを許可する情報を記録しておく。
【００７６】
また、第１給紙トレイ１１及び第２給紙トレイ１２に、裏面に他の情報が既に印刷されている裏紙、または再生紙、または所定の厚み以下の薄紙が収容されている場合で、ＩＣタグ付き原稿４１の複写制限情報でこれらの記録紙への複写が許可されている場合は、デジタル複合機１に対するこれら記録紙の種類の設定情報を使用して、該当する給紙トレイを選択する。
【００７７】
第２給紙トレイ１２にＩＣタグ付き記録紙４２が収容され、ＩＣタグ付き原稿４１のＩＣタグに記録された複写制限情報に従って第１給紙トレイ１１が選択された場合、印字部６ｂは、ＣＣＤ２ａで読み取った画像データをＩＣタグ付き記録紙４２に印刷する。そして機器制御部３（または他の所定の制御手段）では、複写物に対する新たな複写制限情報を生成し、ＩＣタグ書込手段１４によってＩＣタグ付き記録紙４２のＩＣタグ４２ａにその複写制限情報を書き込ませる。
【００７８】
またＩＣタグ付き原稿４１の複写制限情報で記録紙の種類を制限していない場合、機器制御部３は、該当する給紙トレイが一つしかない場合には、その給紙トレイを選択し、また該当する給紙トレイが複数ある場合は、他の印刷設定条件（用紙の大きさ等）やユーザによるトレイ選択操作に応じて給紙トレイを選択する。そして印字部６ｂでは、選択した給紙トレイの記録紙に対して、ＣＣＤ２ａで読み取った画像データを印刷する。
【００７９】
また裏紙・再生紙・薄紙４５等のＩＣタグが付加されていない記録紙を指定している場合にも同様に、印字部６ｂは、選択した給紙トレイの記録紙に対して、ＣＣＤ２ａで読み取った画像データを印刷する。
【００８０】
またＩＣタグＩ／Ｆ２ｃにより、所定の読取位置にセットされた原稿がＩＣタグ無し原稿４３であると判定された場合、機器制御部３は、普通紙４４がセットされた第１給紙トレイ１１を選択するように制御し、印字部６ｂは、普通紙４４に対して画像記録を行う。
【００８１】
このときに、ＩＣタグ無し原稿４３の原稿画像を使用して、複写制限情報により機密性を付与した新たな原稿を作成する場合、その作成権限を有するユーザ操作に応じてＩＣタグ付き記録紙４２を選択し、そのＩＣタグ４２ａに記憶させる新たな複写制限情報を生成して、ＩＣタグ書込手段１４によってＩＣタグ付き記録紙４２のＩＣタグ４２ａにその複写制限情報を書き込ませることができる。
【００８２】
以上、複写管理情報を記憶する情報記憶媒体としてＩＣタグを中心に説明したが、ＩＣタグの変わりにバーコードあるいは２次元コードなどを利用して複写管理情報をコード化して記憶するようにしてもよい。この場合、デジタル複合機１は、これらコード情報を読み書きするためのリーダ／ライタ手段を備えるようにすればよい。
【００８３】
図３は、デジタル複合機１と課金装置とが接続されたシステムの構成例を示す図である。デジタル複合機１は、デジタル複合機１での複写処理に対して課金するための課金装置５０と接続されている。課金装置５０は、課金情報を表示するための表示部５１と、ユーザ操作を入力するための操作パネル５２と、コインあるいはプリペイドカードを投入する投入部５３と、制御プログラム等を格納するＲＯＭ５４と、課金装置５０全体を制御するＣＰＵ５５と、制御プログラムの実行領域であるメモリ５６と、デジタル複合機１と接続するためのＩ／Ｆ５７と、を備えている。
【００８４】
デジタル複合機１のＩ／Ｆ１５は、課金装置５０のＩ／Ｆ５７と接続され、デジタル複合機１の機器制御部３によって課金装置５０における課金処理を制御する。ＩＣタグ４１ａには、上述のような複写制限情報に加えて、デジタル複合機１における原稿画像の複写に対する課金を管理するための課金管理情報を記憶させておくことができる。
そして機器制御部３は、この課金管理情報に従って、デジタル複合機１における原稿画像の複写に対して課金するように課金装置５０を制御する。
【００８５】
例えば、課金管理情報は、Ａ４白黒コピー１枚あたり１０円であることを示す情報であり、ユーザは、課金装置５０の投入部５３から２００円を予め投入しておく。
例えばデジタル複合機１は、ユーザ操作に従って、ＩＣタグ付き原稿４１からＩＣタグ付き記録紙４２へのコピーを実行し、Ａ４白黒コピー１０枚を作成する。このときのコピー代金は、ＩＣタグ４１ａの課金管理情報から、コピー枚数１０枚×１０円／枚＝１００円と算出される。そして機器制御部３は、この１００円分を差し引くように課金装置５０に指示する。課金装置５０は、機器制御部３からの指示に従って、投入金額である“２００円”から“１００円”を差し引き、残りを返金する処理を行う。
また、上記課金管理情報は、コピーされた枚数や、コピーの種類（カラー、白黒など）、用紙サイズ（Ａ４、Ｂ４など）などに応じてコピー代金を変化させるようにしてもよい。
【００８６】
そしてＩＣタグ付き原稿４１からＩＣタグ付き記録紙４２にコピーを実行する際に、ＩＣタグ付き原稿４１のＩＣタグ４１ａに記録されていた課金管理情報を、ＩＣタグ付き記録紙４２のＩＣタグ４２ａに記録させておく。これにより、ＩＣタグ付き記録紙４２に複写された原稿画像を用いて、さらに複写物を生成する場合、課金管理情報を使用して課金管理を行うことができる。
【００８７】
図４は、本発明のデジタル複合機１におけるＩＣタグの読み取り／書き込み処理の一例を説明するためのフロー図である。まず、デジタル複合機１は、所定の読取位置に原稿がセットされたことを確認し（ステップＳ１）、セットされた原稿からＲＦ反応が検出されたかどうか、すなわちＩＣタグの有無を判定する（ステップＳ２）。ここでＲＦ反応有り、すなわちＩＣタグ有りと判定した場合（ＹＥＳの場合）、ＩＣタグ付き原稿のＩＣタグからＩＣタグデータ（複写制限情報等）を読み取る（ステップＳ３）。そして読み取りが“ＯＫ”かどうかを判定し（ステップＳ４）、読み取り“ＯＫ”の場合（ＹＥＳの場合）、ＩＣタグデータの複写物への書き込みが必要かどうかを判断する（ステップＳ５）。
【００８８】
次に、上記ステップＳ５において、ＩＣタグのデータの書き込みが必要と判断した場合（ＹＥＳの場合）、ＩＣタグ付き記録紙４２が第２給紙トレイ１２にセットされているかどうかを判断する（ステップＳ６）。そしてＩＣタグ付き記録紙４２が第２給紙トレイ１２にセットされている場合（ＹＥＳの場合）、原稿画像を読み取り（ステップＳ７）、ＩＣタグ付き記録紙４２を第２給紙トレイ１２から供給させる（ステップＳ８）。
【００８９】
次いでステップＳ７で読み取った原稿画像をＩＣタグ付き記録紙４２の記録面に記録する（ステップＳ９）。そしてステップＳ３で読み取ったＩＣタグデータに基づいて生成した、もしくは新たに生成したＩＣタグデータ（複写制限情報等）をＩＣタグ付き記録紙４２のＩＣタグ４２ａに書き込んで（ステップＳ１０）、その記録紙４２を排紙トレイ１３に排出する（ステップＳ１１）。
【００９０】
また、上記ステップＳ２において、ＲＦ反応無し、すなわちＩＣタグ無しと判定した場合（ＮＯの場合）、ＩＣタグ無し原稿の画像を読み取って（ステップＳ１２）、普通紙４４を第１給紙トレイ１１から供給する（ステップＳ１３）。そしてステップＳ１２で読み取った原稿画像を普通紙４４に記録し（ステップＳ１４）、ステップＳ１１に移行して、普通紙を排紙トレイ１３に排出する。なお、複写制限情報で普通紙以外の記録紙への複写が許可され、普通紙以外の給紙トレイが選択されている場合には、上記ステップＳ１３で普通紙ではなく選択された給紙トレイの記録紙が供給される。
【００９１】
上記ステップＳ４において、ＩＣタグデータの読み取りが“ＯＫ”でない場合（ＮＯの場合）、読み取りエラーを表示して（ステップＳ１５）、終了する。
また、上記ステップＳ６において、ＩＣタグ付き記録紙４２が第２給紙トレイ１２にセットされていない場合（ＮＯの場合）、ＩＣタグ付き記録紙４２が必要なことを通知し（ステップＳ１６）、ステップＳ６に戻り処理を繰り返す。
【図面の簡単な説明】
【００９２】
【図１】本発明の一実施形態に係る複写装置の概略構成例を示すブロック図である。
【図２】原稿に付加されたＩＣタグの情報を読み取って、ＩＣタグ付き記録紙のＩＣタグに書き込む処理を説明するための図である。
【図３】デジタル複合機と課金装置とが接続されたシステムの構成例を示す図である。
【図４】本発明のデジタル複合機におけるＩＣタグの読み取り／書き込み処理の一例を説明するためのフロー図である。
【符号の説明】
【００９３】
１…複写装置（デジタル複合機）、２…画像読み取り部、２ａ…ＣＣＤ、２ｂ…原稿検知センサ、２ｃ…ＩＣタグＩ／Ｆ、３…機器制御部、４…操作部、４ａ…入力部、４ｂ…表示部、５…通信部、６…画像形成部、６ａ…メモリ、６ｂ…印字部（ＬＳＵ）、７…ハードディスク（ＨＤ）、８…管理部、９…消去手段、１０…ＦＡＸモデム、１１…第１給紙トレイ、１２…第２給紙トレイ、１３…排紙トレイ、１４…ＩＣタグ書込手段、１５…課金装置Ｉ／Ｆ、２０…電話回線網、２１，３４…ファクシミリ装置、３０…ネットワーク、３１，３２，３５…端末装置、３３…インターネット、４１…ＩＣタグ付き原稿、４２…ＩＣタグ付き記録紙、４１ａ，４２ａ…ＩＣタグ、４３…ＩＣタグ無し原稿、４４…普通紙、４５…裏紙・再生紙・薄紙、５０…課金装置、５１…表示部、５２…操作パネル、５３…投入部、５４…ＲＯＭ、５５…ＣＰＵ、５６…メモリ、５７…Ｉ／Ｆ。
【図１】
0004443490.tif 000002
【図２】
0004443490.tif 000003
【図３】
0004443490.tif 000004
【図４】
0004443490.tif 000005